【手続補正書】
【提出日】平成29年4月19日(2017.4.19)
【手続補正１】
【補正対象書類名】明細書
【補正対象項目名】００１１
【補正方法】変更
【補正の内容】
【００１１】
【図１】調整可能な一対の刺激電極を有する、例示的な鼻刺激デバイスを示す。
【図２】不透明なスリーブによって実質的に囲まれた一対のバネ様電極を含む、別の例示的な鼻刺激デバイスの使い捨て構成要素の平面図を示す。
【図３Ａ】鼻刺激デバイスの使い捨て構成要素に提供される導電性ポリマーの例示的な構造を示す。特に不透明ポリマースリーブに囲まれた刺激電極の斜視図を示す。
【図３Ｂ】鼻刺激デバイスの使い捨て構成要素に提供される導電性ポリマーの例示的な構造を示す。先端部分内に配置された導電性ポリマーを示す図３Ａの刺激電極の断面図である。
【図３Ｃ】鼻刺激デバイスの使い捨て構成要素に提供される導電性ポリマーの例示的な構造を示す。特に、導電性ポリマーがポリマースリーブの遠位端を囲んでシェルを形成する、図３Ａの刺激電極の様式化図を示す。
【図４】鼻刺激デバイスのヒドロゲル構成要素を形成する際に用いる例示的な使い捨て金型を示す。
【図５】使い捨て構成要素の例示的な組立ステップを示す。
【図６】例示的なアクリル末端シラン及びアクリル末端シロキサンモノマーの化学構造を示す。
【図７】鼻刺激デバイスの先端で電気的接触を形成するために硬化されたＳＢ５ヒドロゲル配合物の提示形態を示す。
【図８Ａ】鼻刺激デバイス先端に含まれるヒドロゲルを成形するための例示的方法を示す。図８Ａは、ヒドロゲル成形のための浸漬法を示す。
【図８Ｂ】鼻刺激デバイス先端に含まれるヒドロゲルを成形するための例示的方法を示す。ヒドロゲル成形のためのスクーピング法を示す。
【図８Ｃ】鼻刺激デバイス先端に含まれるヒドロゲルを成形するための例示的方法を示す。絶縁物を吹き付ける際に、導電性部分がもたらされるように先端の一部がマスクされたヒドロゲル先端を示す。
【図９Ａ】モールド成形した後に切断することによって、ヒドロゲルを成形するための例示的方法を示す。
【図９Ｂ】モールド成形した後に切断することによって、ヒドロゲルを成形するための例示的方法を示す。
【図９Ｃ】モールド成形した後に切断することによって、ヒドロゲルを成形するための例示的方法を示す。
【図９Ｄ】モールド成形した後に切断することによって、ヒドロゲルを成形するための例示的方法を示す。
【図９Ｅ】モールド成形した後に切断することによって、ヒドロゲルを成形するための例示的方法を示す。
【図９Ｆ】モールド成形した後に切断することによって、ヒドロゲルを成形するための例示的方法を示す。
【図９Ｇ】モールド成形した後に切断することによって、ヒドロゲルを成形するための例示的方法を示す。
【図９Ｈ】モールド成形した後に切断することによって、ヒドロゲルを成形するための例示的方法を示す。
【図９Ｉ】モールド成形した後に切断することによって、ヒドロゲルを成形するための例示的方法を示す。
【図１０Ａ】ヒドロゲルを成形するための例示的な分配法及び分配デバイスを示す。
【図１０Ｂ】ヒドロゲルを成形するための例示的な分配法及び分配デバイスを示す。
【図１０Ｃ】ヒドロゲルを成形するための例示的な分配法及び分配デバイスを示す。
【図１１Ａ】ヒドロゲルの分配の制御に役立てるために用いることができる例示的な構造及び方法を示す。
【図１１Ｂ】ヒドロゲルの分配の制御に役立てるために用いることができる例示的な構造及び方法を示す。
【図１１Ｃ】ヒドロゲルの分配の制御に役立てるために用いることができる例示的な構造及び方法を示す。
【図１２Ａ】ヒドロゲルを成形するための例示的なモールド及び注入成形法を示す。
【図１２Ｂ】ヒドロゲルを成形するための例示的なモールド及び注入成形法を示す。
【図１２Ｃ】ヒドロゲルを成形するための例示的なモールド及び注入成形法を示す。
【図１２Ｄ】ヒドロゲルを成形するための例示的なモールド及び注入成形法を示す。
【図１３】より体積の大きいヒドロゲルを保持することができる、例示的な薄肉先端部を示す。
【図１４Ａ】例示的な先端組立体構造、及びこの構造を鼻刺激デバイスのプロングに取り付けるための方法を示す。
【図１４Ｂ】例示的な先端組立体構造、及びこの構造を鼻刺激デバイスのプロングに取り付けるための方法を示す。
【図１４Ｃ】例示的な先端組立体構造、及びこの構造を鼻刺激デバイスのプロングに取り付けるための方法を示す。
【図１４Ｄ】例示的な先端組立体構造、及びこの構造を鼻刺激デバイスのプロングに取り付けるための方法を示す。
【図１５Ａ】ヒドロゲル予備成形物が先端組立体内に収容され、次いで水和される、例示的な方法を示す。
【図１５Ｂ】ヒドロゲル予備成形物が先端組立体内に収容され、次いで水和される、例示的な方法を示す。
【図１５Ｃ】ヒドロゲル予備成形物が先端組立体内に収容され、次いで水和される、例示的な方法を示す。
【図１６Ａ】ヒンジを含む、例示的な先端組立体構造及び使用方法を示す。
【図１６Ｂ】ヒンジを含む、例示的な先端組立体構造及び使用方法を示す。
【図１６Ｃ】ヒンジを含む、例示的な先端組立体構造及び使用方法を示す。
【図１６Ｄ】ヒンジを含む、例示的な先端組立体構造及び使用方法を示す。
【図１７Ａ】例示的な分配カセット及び先端組立体の製造方法を示す。
【図１７Ｂ】例示的な分配カセット及び先端組立体の製造方法を示す。
【図１７Ｃ】例示的な分配カセット及び先端組立体の製造方法を示す。
【図１７Ｄ】例示的な分配カセット及び先端組立体の製造方法を示す。
【図１７Ｅ】例示的な分配カセット及び先端組立体の製造方法を示す。
【図１８Ａ】図１７Ａ〜１７Ｅの分配カセットを用いて、先端組立体をベースユニットに取り付けるための例示的方法を示す。
【図１８Ｂ】図１７Ａ〜１７Ｅの分配カセットを用いて、先端組立体をベースユニットに取り付けるための例示的方法を示す。
【図１８Ｃ】図１７Ａ〜１７Ｅの分配カセットを用いて、先端組立体をベースユニットに取り付けるための例示的方法を示す。
【図１８Ｄ】図１７Ａ〜１７Ｅの分配カセットを用いて、先端組立体をベースユニットに取り付けるための例示的方法を示す。
【図１９Ａ】先端組立体をベースユニットから取り出すための例示的なツール及び方法を示す。
【図１９Ｂ】先端組立体をベースユニットから取り出すための例示的なツール及び方法を示す。
【図１９Ｃ】先端組立体をベースユニットから取り出すための例示的なツール及び方法を示す。
【図２０Ａ】更なる例示的な先端組立体構造及びその組立方法を示す。
【図２０Ｂ】更なる例示的な先端組立体構造及びその組立方法を示す。
【図２１Ａ】ＳＢ１ヒドロゲルのＤＭＡ及びＮＶＰモノマー抽出速度を示す。
【図２１Ｂ】ＳＢ１ヒドロゲルのＤＭＡ及びＮＶＰモノマー抽出速度を示す。
【図２２Ａ】ＳＢ２ヒドロゲルのＮＶＰモノマー及びメタノール抽出速度を示す。
【図２２Ｂ】ＳＢ２ヒドロゲルのＮＶＰモノマー及びメタノール抽出速度を示す。
【図２３Ａ】ＳＢ１及びＳＢ２ヒドロゲルの水和に関するデータを電気抵抗との相関として提示する。
【図２３Ｂ】ＳＢ１及びＳＢ２ヒドロゲルの水和に関するデータを電気抵抗との相関として提示する。
【図２４Ａ】ＳＢ２及びＳＢ３ヒドロゲルの水和に関するデータを電気抵抗との相関として提示する。
【図２４Ｂ】ＳＢ２及びＳＢ３ヒドロゲルの水和に関するデータを電気抵抗との相関として提示する。
【図２５】ＳＢ４Ａ及びＳＢ４Ｂヒドロゲルの水和に関するデータを電気抵抗との相関として提示する。
【図２６Ａ】水和に起因するＳＢ２及びＳＢ３ヒドロゲルの膨張に関するデータを提示する。
【図２６Ｂ】水和に起因するＳＢ２及びＳＢ３ヒドロゲルの膨張に関するデータを提示する。
【図２７Ａ】水和に起因するＳＢ４Ａ及びＳＢ４Ｂヒドロゲルの膨張に関するデータを提示する。
【図２７Ｂ】水和に起因するＳＢ４Ａ及びＳＢ４Ｂヒドロゲルの膨張に関するデータを提示する。
【図２８Ａ】ＳＢ５ヒドロゲルのＤＭＡ及びＮＶＰモノマー並びにメタノール抽出速度を示す。
【図２８Ｂ】ＳＢ５ヒドロゲルのＤＭＡ及びＮＶＰモノマー並びにメタノール抽出速度を示す。
【図２８Ｃ】ＳＢ５ヒドロゲルのＤＭＡ及びＮＶＰモノマー並びにメタノール抽出速度を示す。
【図２９】ＳＢ５ヒドロゲルの水和に関するデータを電気抵抗との相関として提示する。
【図３０Ａ】水和に起因するＳＢ５ヒドロゲルの膨張に関するデータを提示する。
【図３０Ｂ】水和に起因するＳＢ５ヒドロゲルの膨張に関するデータを提示する。
【図３０Ｃ】水和に起因するＳＢ５ヒドロゲルの膨張に関するデータを提示する。
【手続補正２】
【補正対象書類名】明細書
【補正対象項目名】００８１
【補正方法】変更
【補正の内容】
【００８１】
使用方法
鼻組織または副鼻腔組織（及び涙腺）を刺激するための方法についても本明細書にて記載される。一変形形態において、方法は、鼻刺激デバイスのアームを鼻組織または副鼻腔組織に付けることと、鼻刺激デバイスを作動させて、鼻組織または副鼻腔組織に電気刺激をもたらすこととを含み、このアームは、遠位端と、遠位端に配置された導電性ヒドロゲルとを有し、導電性ヒドロゲルは、鼻刺激デバイスと鼻組織または副鼻腔組織との間の電気的接続を促進するために用いられる。上述のように、伝導性ヒドロゲルは、第１のモノマーと、第２のモノマーと、光開始剤とを含み得、第１のモノマーはアクリレートモノマーであり、導電性ヒドロゲルは鼻刺激デバイスでの使用に適合する１つまたは複数の特性を有する。伝導性ヒドロゲルは、モノマーと、希釈剤と、光開始剤と、本明細書に記載の他の構成成分、例えば、表１及び表３に記載の構成成分とを含み得る。繰り返しになるが、配合物を紫外線照射に供し、架橋した伝導性ヒドロゲルを形成する。これらの方法に使用される伝導性ヒドロゲルは、表２及び５に列挙されるものを含み得る。
【手続補正３】
【補正対象書類名】明細書
【補正対象項目名】００９４
【補正方法】変更
【補正の内容】
【００９４】
ＳＢ１ヒドロゲル配合物の抽出速度は、抽出（抽出と水和の用語は、本出願にて区別なく用いられる）の約１時間後で、ＤＭＡが約１７０μｇ／時（図２１Ａに示す）、ＮＶＰが約４５０μｇ／時（図２１Ｂに示す）であった。
【手続補正４】
【補正対象書類名】明細書
【補正対象項目名】００９５
【補正方法】変更
【補正の内容】
【００９５】
実施例９：モノマー抽出速度に対するＳＢ２ヒドロゲルの水和の測定
図２２Ａに示す通り、かつ実施例８に記載の通りに、硬化後、ＳＢ２ヒドロゲル配合物の水和を、未反応ＮＶＰモノマーの抽出速度との相関として測定し、また、図２２Ｂに示すように、メタノールの抽出速度との相関として測定した。ＳＢ２ヒドロゲル配合物の抽出速度は、硬化の約１時間後で、ＮＶＰが約１，１５０μｇ／時であった。これは、ＳＢ１ヒドロゲル配合物で得られたものよりも極めて速かった。上述のように、ＳＢ１配合物とＳＢ２配合物の違いは、ＳＢ２がメタノール希釈剤を含んだ点である。ＳＢ２とＳＢ１からのＮＶＰの抽出の相対速度（１，１５０μｇ／時対４５０μｇ／時）によって示されるように、希釈剤が存在することで、未反応モノマーのＳＢ２からの抽出が大幅に加速された。しかしながら、希釈剤の存在はまた、モノマーのそれぞれの効率的なモル分率を下げることから、ＳＢ１と比較して、ＳＢ２の硬化速度が遅くなった（データ図示せず）。
【手続補正５】
【補正対象書類名】明細書
【補正対象項目名】００９７
【補正方法】変更
【補正の内容】
【００９７】
図２３Ａ及び２３Ｂに提示するデータから、いずれのヒドロゲル配合物についても、水和／抽出の１時間後では電気抵抗が高い（およそ１４５〜１７５ｋΩ）が、ヒドロゲルが水和されるにつれて、抵抗は低下する（すなわち、より導電性になる）ことが示されている。水和の８時間以降のデータは、値が極めて低いので、プロットしていない。
【手続補正６】
【補正対象書類名】明細書
【補正対象項目名】００９８
【補正方法】変更
【補正の内容】
【００９８】
実施例１１：電気抵抗に対するＳＢ２及びＳＢ３ヒドロゲルの水和の測定
実施例１０に記載する通りに、硬化後、ＳＢ２及びＳＢ３ヒドロゲル配合物の水和を、１〜８時間及び４〜７２時間の期間にわたる電気抵抗との相関として測定した。図２４Ａ及び２４Ｂに提示するデータは、水和が長期間（ここでは７２時間）にわたって継続することを示している。これらのヒドロゲルは、水和の８時間後でもまだ使用可能であった（依然として導電性であった）。更に、水和後のＳＢ３のゲル質量は、ＳＢ２のゲル質量よりも極めて大きかった。ＳＢ３のゲル質量はＳＢ２のゲル質量よりも大きいが、ゲル高さはＳＢ３のほうが低かった点に留意されたい。これは、希釈剤の存在に起因する。
【手続補正７】
【補正対象書類名】明細書
【補正対象項目名】００９９
【補正方法】変更
【補正の内容】
【００９９】
実施例１２：電気抵抗に対するＳＢ４Ａ及びＳＢ４Ｂヒドロゲルの水和の測定
硬化後、ＳＢ４Ａ及びＳＢ４Ｂヒドロゲル配合物の水和を、１４４時間にわたる電気抵抗との相関として測定した。図２５に提示するデータも同じく、ヒドロゲルが長期間にわたって水和を維持し、水和が増えるにつれて、より導電性になることが示されている。
【手続補正８】
【補正対象書類名】明細書
【補正対象項目名】０１００
【補正方法】変更
【補正の内容】
【０１００】
実施例１３：ＳＢ２及びＳＢ３ヒドロゲルの水和による膨張
ＳＢ２及びＳＢ３ヒドロゲル注入成形物の質量及び高さを測定し、水和との相関としてヒドロゲルの膨潤を特定した。図２６Ａ及び２６Ｂに測定値を提示する。ＳＢ３において、ＨＥＭＡモノマーをＥＧＤＭＡモノマーに置き換えると、ＳＢ３はより親水性になり、ＳＢ２と比較して水吸収量が増大し、したがって、質量がより大きくなった。
【手続補正９】
【補正対象書類名】明細書
【補正対象項目名】０１０１
【補正方法】変更
【補正の内容】
【０１０１】
実施例１４：ＳＢ４Ａ及びＳＢ４Ｂヒドロゲルの水和による膨張
図２７Ａ及び２７Ｂに示すように、ＳＢ４Ａ及びＳＢ４Ｂヒドロゲルの質量及び高さを測定し、ＳＢ３ヒドロゲルの質量及び高さと比較して、水和との相関としてヒドロゲルの膨潤を特定した。ＳＢ４Ａ及びＳＢ４Ｂヒドロゲルは、高い水和（実施例１２参照）を示したが、親水性ＳＢ３ヒドロゲルよりも膨張しなかった。したがって、ＳＢ４Ａ及びＳＢ４Ｂヒドロゲルを用いると、少ない膨潤／膨張でより高いコンダクタンスが得られた。
【手続補正１０】
【補正対象書類名】明細書
【補正対象項目名】０１０４
【補正方法】変更
【補正の内容】
【０１０４】
実施例１６：モノマー抽出に対するＳＢ５ヒドロゲルの水和の測定
図２８Ａ〜２８Ｃに示す通り、かつ実施例８の記載と同様に、硬化後、ＳＢ５ヒドロゲルの水和を、未反応ＤＭＡモノマー及びＮＶＰモノマー、並びにメタノールの抽出速度との相関として測定した。簡潔に述べれば、Ａｇｉｌｅｎｔ四重極型質量選択検出器５９７５Ｃを備えたＡｇｉｌｅｎｔ７８９０Ａ  ＧＣで、ＧＣ−ＭＳクロマトグラフィーによって抽出物を分析し、Ｎ−ビニルピロリドン（ＮＶＰ）、ジメチルアクリルアミド（ＤＭＡ）及びメタノール（ＭｅＯＨ）をモニターした。全イオンクロマトグラムを各溶出で記録し、純粋なＮＶＰ、ＤＭＡ及びメタノールを参照物質に用いて、ピークを同定した。図２８Ａ〜２８Ｃに提示するグラフ中のデータは、メタノールの抽出速度が最も速く、ＤＭＡの抽出速度がこれに続くことを示している。ＮＶＰの抽出が最も遅い。ヒドロゲル網目構造の膨張は、全ての場合において同じであるので、抽出速度は、水和の温度（摂氏５５度）での生理食塩水中における各化学種の溶解度にのみ左右される。グラフに示すように、全ての化学種の抽出速度は、水和の２４時間後に、低い横ばい状態に達すると思われる。これらの結果に基づき、ＳＢ５ヒドロゲルは、水和の２４時間後に使用できる状態であると結論付けられた。
【手続補正１１】
【補正対象書類名】明細書
【補正対象項目名】０１０５
【補正方法】変更
【補正の内容】
【０１０５】
実施例１７：電気抵抗に対するＳＢ５ヒドロゲルの水和の測定
実施例１０〜１２の記載と同様に、硬化後、ＳＢ５ヒドロゲル配合物の水和を、異なる期間にわたる電気抵抗との相関として測定した。図２９に示すように、電気抵抗は、生理食塩水での抽出によって生じた水和により大幅に低下した。ＳＢ５ヒドロゲルの電気抵抗は、抽出の１２時間後に、０．６ｋΩ超のレベルになり、抽出のおよそ２４時間後に、低い横ばい状態に達した。
【手続補正１２】
【補正対象書類名】明細書
【補正対象項目名】０１０６
【補正方法】変更
【補正の内容】
【０１０６】
実施例１８：ＳＢ５ヒドロゲルの水和による膨張
ＳＢ５ヒドロゲル注入成形物の質量及び高さ（膨張）を測定し、水和（及び抽出期間）との相関としてヒドロゲルの膨潤を特定した。図３０Ａのデータ表を参照すると、４８時間におけるＳＢ５（４２−０５）の水和率（１００×（Ｍ48時間-Ｍ0時間）／Ｍ４８時間、式中、Ｍはグラム単位の質量として定義）を計算すると、約３５．５％であり、これは、ＳＢ１（４２−０１）及びＳＢ２（４２−０２）の水和率よりも大幅に低かった。水和率の減少は、ＳＢ１及びＳＢ２と比較した、ＳＢ５の架橋密度の増加及び疎水性の増加に起因するものと思われる。したがって、ＳＢ５ヒドロゲルの利点は、比較的低い水和度を有しつつ、その電気的機能を果たすのに十分なレベルの電気伝導率を達成することができ、その加工性が改善される点であると考えられる。架橋密度の増大はまた、水和していないヒドロゲル網目構造のガラス転移温度を上げるようであった（データ図示せず）。ＳＢ１及びＳＢ２ヒドロゲルと比較したＳＢ５ヒドロゲルの組成物におけるこれらの変化は、その乾燥時間、及び鼻組織を擦ることによって生じる剪断力に対する堅牢性を改善し得る。
【手続補正１３】
【補正対象書類名】明細書
【補正対象項目名】０１０７
【補正方法】変更
【補正の内容】
【０１０７】
図３０Ｂに提示するゲル質量対水和持続時間のグラフを参照すると、ＳＢ５ヒドロゲルは、水和によってゲル質量が約７２時間まで増加し続けたＳＢ１及びＳＢ２ヒドロゲルとは対照的に（例えば、実施例１３のＳＢ２のデータを参照）、抽出の約２４時間で水和の閾値に達した。これは、ＳＢ５の低い水和率と一致する。
【手続補正１４】
【補正対象書類名】明細書
【補正対象項目名】０１０８
【補正方法】変更
【補正の内容】
【０１０８】
図３０Ｃにはゲル膨張対水和持続時間のグラフを提示するが、このグラフは、水和したスリーブの光学写真から取得したＳＢ５ヒドロゲルの高さの増加を記録することにより得たデータを示す。このデータから、ゲル高さが抽出の約２４時間後に横ばい状態に達したことが示された。これは、同一条件下での生理食塩水による抽出の７２時間まで、また７２時間を超えてゲル高さが増加し続けたＳＢ１及びＳＢ２ヒドロゲルとは対照的である（例えば、実施例１３のＳＢ２のデータを参照）。
【手続補正１５】
【補正対象書類名】明細書
【補正対象項目名】０１０９
【補正方法】変更
【補正の内容】
【０１０９】
全体的に、ＳＢ５ヒドロゲルに関するデータは、その平衡含水率が約３５％であることを示した。実施例１５を参照すると、この配合物に使用したメタノール（希釈剤）の量は約３９．９％である。これらの値は、ＳＢ５ヒドロゲルが、膨張ゼロのヒドロゲルであることを示している。ゲル高さ膨張に関して示すデータは、５．０ｍｍ（水和の前に測定）から５．２ｍｍ（約２４時間での水和完了後）までの増加を示し、これは、約４％の増加が、メタノールに対するポリマー網目構造による水分子の更なる複合体形成に起因し得ることを示している。
【手続補正１６】
【補正対象書類名】図面
【補正対象項目名】図４
【補正方法】変更
【補正の内容】
【図４】
2017509747.tif 000001
【手続補正１７】
【補正対象書類名】図面
【補正対象項目名】図８Ａ
【補正方法】変更
【補正の内容】
【図８Ａ】
2017509747.tif 000002
【手続補正１８】
【補正対象書類名】図面
【補正対象項目名】図８Ｂ
【補正方法】変更
【補正の内容】
【図８Ｂ】
2017509747.tif 000003
【手続補正１９】
【補正対象書類名】図面
【補正対象項目名】図８Ｃ
【補正方法】変更
【補正の内容】
【図８Ｃ】
2017509747.tif 000004
【手続補正２０】
【補正対象書類名】図面
【補正対象項目名】図９Ａ
【補正方法】変更
【補正の内容】
【図９Ａ】
2017509747.tif 000005
【手続補正２１】
【補正対象書類名】図面
【補正対象項目名】図９Ｂ
【補正方法】変更
【補正の内容】
【図９Ｂ】
2017509747.tif 000006
【手続補正２２】
【補正対象書類名】図面
【補正対象項目名】図９Ｃ
【補正方法】変更
【補正の内容】
【図９Ｃ】
2017509747.tif 000007
【手続補正２３】
【補正対象書類名】図面
【補正対象項目名】図９Ｄ
【補正方法】変更
【補正の内容】
【図９Ｄ】
2017509747.tif 000008
【手続補正２４】
【補正対象書類名】図面
【補正対象項目名】図９Ｅ
【補正方法】変更
【補正の内容】
【図９Ｅ】
2017509747.tif 000009
【手続補正２５】
【補正対象書類名】図面
【補正対象項目名】図９Ｆ
【補正方法】変更
【補正の内容】
【図９Ｆ】
2017509747.tif 000010
【手続補正２６】
【補正対象書類名】図面
【補正対象項目名】図９Ｇ
【補正方法】変更
【補正の内容】
【図９Ｇ】
2017509747.tif 000011
【手続補正２７】
【補正対象書類名】図面
【補正対象項目名】図９Ｈ
【補正方法】変更
【補正の内容】
【図９Ｈ】
2017509747.tif 000012
【手続補正２８】
【補正対象書類名】図面
【補正対象項目名】図９Ｉ
【補正方法】変更
【補正の内容】
【図９Ｉ】
2017509747.tif 000013
【手続補正２９】
【補正対象書類名】図面
【補正対象項目名】図１０Ａ
【補正方法】変更
【補正の内容】
【図１０Ａ】
2017509747.tif 000014
【手続補正３０】
【補正対象書類名】図面
【補正対象項目名】図１０Ｂ
【補正方法】変更
【補正の内容】
【図１０Ｂ】
2017509747.tif 000015
【手続補正３１】
【補正対象書類名】図面
【補正対象項目名】図１０Ｃ
【補正方法】変更
【補正の内容】
【図１０Ｃ】
2017509747.tif 000016
【手続補正３２】
【補正対象書類名】図面
【補正対象項目名】図１１Ａ
【補正方法】変更
【補正の内容】
【図１１Ａ】
2017509747.tif 000017
【手続補正３３】
【補正対象書類名】図面
【補正対象項目名】図１１Ｂ
【補正方法】変更
【補正の内容】
【図１１Ｂ】
2017509747.tif 000018
【手続補正３４】
【補正対象書類名】図面
【補正対象項目名】図１１Ｃ
【補正方法】変更
【補正の内容】
【図１１Ｃ】
2017509747.tif 000019
【手続補正３５】
【補正対象書類名】図面
【補正対象項目名】図１２Ａ
【補正方法】変更
【補正の内容】
【図１２Ａ】
2017509747.tif 000020
【手続補正３６】
【補正対象書類名】図面
【補正対象項目名】図１２Ｂ
【補正方法】変更
【補正の内容】
【図１２Ｂ】
2017509747.tif 000021
【手続補正３７】
【補正対象書類名】図面
【補正対象項目名】図１２Ｃ
【補正方法】変更
【補正の内容】
【図１２Ｃ】
2017509747.tif 000022
【手続補正３８】
【補正対象書類名】図面
【補正対象項目名】図１２Ｄ
【補正方法】変更
【補正の内容】
【図１２Ｄ】
2017509747.tif 000023
【手続補正３９】
【補正対象書類名】図面
【補正対象項目名】図１３
【補正方法】変更
【補正の内容】
【図１３】
2017509747.tif 000024
【手続補正４０】
【補正対象書類名】図面
【補正対象項目名】図１４Ａ
【補正方法】変更
【補正の内容】
【図１４Ａ】
2017509747.tif 000025
【手続補正４１】
【補正対象書類名】図面
【補正対象項目名】図１４Ｂ
【補正方法】変更
【補正の内容】
【図１４Ｂ】
2017509747.tif 000026
【手続補正４２】
【補正対象書類名】図面
【補正対象項目名】図１４Ｃ
【補正方法】変更
【補正の内容】
【図１４Ｃ】
2017509747.tif 000027
【手続補正４３】
【補正対象書類名】図面
【補正対象項目名】図１４Ｄ
【補正方法】変更
【補正の内容】
【図１４Ｄ】
2017509747.tif 000028
【手続補正４４】
【補正対象書類名】図面
【補正対象項目名】図１５Ａ
【補正方法】変更
【補正の内容】
【図１５Ａ】
2017509747.tif 000029
【手続補正４５】
【補正対象書類名】図面
【補正対象項目名】図１５Ｂ
【補正方法】変更
【補正の内容】
【図１５Ｂ】
2017509747.tif 000030
【手続補正４６】
【補正対象書類名】図面
【補正対象項目名】図１５Ｃ
【補正方法】変更
【補正の内容】
【図１５Ｃ】
2017509747.tif 000031
【手続補正４７】
【補正対象書類名】図面
【補正対象項目名】図１６Ａ
【補正方法】変更
【補正の内容】
【図１６Ａ】
2017509747.tif 000032
【手続補正４８】
【補正対象書類名】図面
【補正対象項目名】図１６Ｂ
【補正方法】変更
【補正の内容】
【図１６Ｂ】
2017509747.tif 000033
【手続補正４９】
【補正対象書類名】図面
【補正対象項目名】図１６Ｃ
【補正方法】変更
【補正の内容】
【図１６Ｃ】
2017509747.tif 000034
【手続補正５０】
【補正対象書類名】図面
【補正対象項目名】図１６Ｄ
【補正方法】変更
【補正の内容】
【図１６Ｄ】
2017509747.tif 000035
【手続補正５１】
【補正対象書類名】図面
【補正対象項目名】図１７Ａ
【補正方法】変更
【補正の内容】
【図１７Ａ】
2017509747.tif 000036
【手続補正５２】
【補正対象書類名】図面
【補正対象項目名】図１７Ｂ
【補正方法】変更
【補正の内容】
【図１７Ｂ】
2017509747.tif 000037
【手続補正５３】
【補正対象書類名】図面
【補正対象項目名】図１７Ｃ
【補正方法】変更
【補正の内容】
【図１７Ｃ】
2017509747.tif 000038
【手続補正５４】
【補正対象書類名】図面
【補正対象項目名】図１７Ｄ
【補正方法】変更
【補正の内容】
【図１７Ｄ】
2017509747.tif 000039
【手続補正５５】
【補正対象書類名】図面
【補正対象項目名】図１７Ｅ
【補正方法】変更
【補正の内容】
【図１７Ｅ】
2017509747.tif 000040
【手続補正５６】
【補正対象書類名】図面
【補正対象項目名】図１８Ａ
【補正方法】変更
【補正の内容】
【図１８Ａ】
2017509747.tif 000041
【手続補正５７】
【補正対象書類名】図面
【補正対象項目名】図１８Ｂ
【補正方法】変更
【補正の内容】
【図１８Ｂ】
2017509747.tif 000042
【手続補正５８】
【補正対象書類名】図面
【補正対象項目名】図１８Ｃ
【補正方法】変更
【補正の内容】
【図１８Ｃ】
2017509747.tif 000043
【手続補正５９】
【補正対象書類名】図面
【補正対象項目名】図１８Ｄ
【補正方法】変更
【補正の内容】
【図１８Ｄ】
2017509747.tif 000044
【手続補正６０】
【補正対象書類名】図面
【補正対象項目名】図１９Ａ
【補正方法】変更
【補正の内容】
【図１９Ａ】
2017509747.tif 000045
【手続補正６１】
【補正対象書類名】図面
【補正対象項目名】図１９Ｂ
【補正方法】変更
【補正の内容】
【図１９Ｂ】
2017509747.tif 000046
【手続補正６２】
【補正対象書類名】図面
【補正対象項目名】図１９Ｃ
【補正方法】変更
【補正の内容】
【図１９Ｃ】
2017509747.tif 000047
【手続補正６３】
【補正対象書類名】図面
【補正対象項目名】図２０Ａ
【補正方法】変更
【補正の内容】
【図２０Ａ】
2017509747.tif 000048
【手続補正６４】
【補正対象書類名】図面
【補正対象項目名】図２０Ｂ
【補正方法】変更
【補正の内容】
【図２０Ｂ】
2017509747.tif 000049
【手続補正６５】
【補正対象書類名】図面
【補正対象項目名】図２１Ａ
【補正方法】変更
【補正の内容】
【図２１Ａ】
2017509747.tif 000050
【手続補正６６】
【補正対象書類名】図面
【補正対象項目名】図２１Ｂ
【補正方法】変更
【補正の内容】
【図２１Ｂ】
2017509747.tif 000051
【手続補正６７】
【補正対象書類名】図面
【補正対象項目名】図２２Ａ
【補正方法】変更
【補正の内容】
【図２２Ａ】
2017509747.tif 000052
【手続補正６８】
【補正対象書類名】図面
【補正対象項目名】図２２Ｂ
【補正方法】変更
【補正の内容】
【図２２Ｂ】
2017509747.tif 000053
【手続補正６９】
【補正対象書類名】図面
【補正対象項目名】図２３Ａ
【補正方法】変更
【補正の内容】
【図２３Ａ】
2017509747.tif 000054
【手続補正７０】
【補正対象書類名】図面
【補正対象項目名】図２３Ｂ
【補正方法】変更
【補正の内容】
【図２３Ｂ】
2017509747.tif 000055
【手続補正７１】
【補正対象書類名】図面
【補正対象項目名】図２４Ａ
【補正方法】変更
【補正の内容】
【図２４Ａ】
2017509747.tif 000056
【手続補正７２】
【補正対象書類名】図面
【補正対象項目名】図２４Ｂ
【補正方法】変更
【補正の内容】
【図２４Ｂ】
2017509747.tif 000057
【手続補正７３】
【補正対象書類名】図面
【補正対象項目名】図２５
【補正方法】変更
【補正の内容】
【図２５】
2017509747.tif 000058
【手続補正７４】
【補正対象書類名】図面
【補正対象項目名】図２６Ａ
【補正方法】変更
【補正の内容】
【図２６Ａ】
2017509747.tif 000059
【手続補正７５】
【補正対象書類名】図面
【補正対象項目名】図２６Ｂ
【補正方法】変更
【補正の内容】
【図２６Ｂ】
2017509747.tif 000060
【手続補正７６】
【補正対象書類名】図面
【補正対象項目名】図２７Ａ
【補正方法】変更
【補正の内容】
【図２７Ａ】
2017509747.tif 000061
【手続補正７７】
【補正対象書類名】図面
【補正対象項目名】図２７Ｂ
【補正方法】変更
【補正の内容】
【図２７Ｂ】
2017509747.tif 000062
【手続補正７８】
【補正対象書類名】図面
【補正対象項目名】図２８Ａ
【補正方法】変更
【補正の内容】
【図２８Ａ】
2017509747.tif 000063
【手続補正７９】
【補正対象書類名】図面
【補正対象項目名】図２８Ｂ
【補正方法】変更
【補正の内容】
【図２８Ｂ】
2017509747.tif 000064
【手続補正８０】
【補正対象書類名】図面
【補正対象項目名】図２８Ｃ
【補正方法】変更
【補正の内容】
【図２８Ｃ】
2017509747.tif 000065
【手続補正８１】
【補正対象書類名】図面
【補正対象項目名】図２９
【補正方法】変更
【補正の内容】
【図２９】
2017509747.tif 000066
【手続補正８２】
【補正対象書類名】図面
【補正対象項目名】図３０Ａ
【補正方法】変更
【補正の内容】
【図３０Ａ】
2017509747.tif 000067
【手続補正８３】
【補正対象書類名】図面
【補正対象項目名】図３０Ｂ
【補正方法】変更
【補正の内容】
【図３０Ｂ】
2017509747.tif 000068
【手続補正８４】
【補正対象書類名】図面
【補正対象項目名】図３０Ｃ
【補正方法】変更
【補正の内容】
【図３０Ｃ】
2017509747.tif 000069